(57)【要約】【課題】外壁面材を面材保持金物を用いて取り付けるものでありながら、外壁面材の取付けの品質や精度を高いものにすることができるようにする。【解決手段】パネルフレーム３に面材保持金物２が取り付けられ、外壁面材１が、上下の縁部を面材保持金物２に係合保持させてパネルフレーム３に保持されている。そして、横ずれ防止金物６が備えられ、横ずれ防止金物６は、外壁面材１の背面側から側面部に沿うよう延びて側面部に沿う部分６ａで外壁面材１の横ずれを規制するように備えられ、また、横ずれ防止金物６は、外壁面材１，１間の縦目地７の下地となる部分６ｂを備えている。【選択図】      図１
2004353341.tif 000002
【特許請求の範囲】
【請求項１】
パネルフレームに面材保持金物が取り付けられ、
外壁面材は、その上下の縁部を前記面材保持金物に係合保持させてパネルフレームに保持され、かつ、
パネルフレームの左右のそれぞれに横ずれ防止金物が取り付けられ、該横ずれ防止金物は、外壁面材の背面側から側面部に沿うよう延び、側面部に沿う部分で外壁面材の横ずれを規制するように備えられていることを特徴とする外壁パネル。
【請求項２】
隣り合う左右の外壁パネルが請求項１に記載の外壁パネルからなり、
これら外壁パネル間部分において、左右の外壁パネルの横ずれ防止金物のいずれか一方又は両方が、隣り合う左右の外壁面材間の縦目地の下地となる部分を備え、該部分をバックアップ部として、隣り合う左右の外壁面材間に一次止水材が設けられていることを特徴とする外壁パネル間の縦目地止水構造。
【発明の詳細な説明】
【０００１】
【発明の属する技術分野】
本発明は、外壁パネル及び外壁パネル間の縦目地止水構造に関する。
【０００２】
【従来の技術及び課題】
外壁面材の取付け方法として、面材保持金物を用い、現場で、外壁面材の縁部を面材保持金物に保持させるようにして外壁面材の取付けを行っていくことが行われている。
【０００３】
しかしながら、面材保持金物を用いた現場での外壁面材の取付けでは、取付けの品質や精度を高いものにするのが難しいという問題があった。
【０００４】
本発明は、かかる問題点に鑑み、外壁面材を面材保持金物を用いて取り付けるものでありながら、外壁面材の取付けの品質や精度を高いものにすることができるようにすることを課題とする。
【０００５】
【課題を解決するための手段】
上記の課題は、パネルフレームに面材保持金物が取り付けられ、
外壁面材は、その上下の縁部を前記面材保持金物に係合保持させてパネルフレームに保持され、かつ、
パネルフレームの左右のそれぞれに横ずれ防止金物が取り付けられ、該横ずれ防止金物は、外壁面材の背面側から側面部に沿うよう延び、側面部に沿う部分で外壁面材の横ずれを規制するように備えられていることを特徴とする外壁パネルによって解決される。
【０００６】
このように、外壁面材を面材保持金物を用いて取り付けるものでありながら、その取付けを外壁パネルのなかで行うようにしているので、現場での外壁面材の取付けを行う必要がなくなり、工場等の外壁パネルの製作場所で外壁面材の取付けを行うことができるようになって、外壁面材の取付けの品質や精度を高いものにすることができる。
【０００７】
しかも、パネルフレームの左右のそれぞれに横ずれ防止金物が取り付けられ、該横ずれ防止金物は、外壁面材の背面側から側面部に沿うよう延び、側面部に沿う部分で外壁面材の横ずれを規制するように備えられているので、面材保持金物によって外壁面材をパネルフレームに保持させる構造でありながら、外壁パネルの運搬時や建方時等において、外壁面材がパネルフレームに対して位置ずれを起こしてしまうことがなく、そのため、外壁パネルの建方を行うことによって、外壁面材を品質良好、精度良好に建物側に取り付けることができる。
【０００８】
また、隣り合う左右の外壁パネルが上記の外壁パネルからなり、
これら外壁パネル間部分において、左右の外壁パネルの横ずれ防止金物のいずれか一方又は両方が、隣り合う左右の外壁面材間の縦目地の下地となる部分を備え、該部分をバックアップ部として、隣り合う左右の外壁面材間に一次止水材が設けられていることを特徴とする外壁パネル間の縦目地止水構造によっても同様に解決される。のみならず、この止水構造では、横ずれ防止金物に、左右の外壁面材間の一次止水材のバックアップ部としての機能を併せもたせているので、一次止水材を簡素な構造でかつ施工容易に左右の外壁面材間に設けることが可能になると共に、簡素な構造で外壁面材を品質良好、精度良好に建物側に取り付けることができる。
【０００９】
【発明の実施の形態】
次に、本発明の実施形態を図面に基づいて説明する。
【００１０】
第１実施形態を示す図１乃至図４において、１は外壁面材、２，２は面材保持金物であり、面材保持金物２，２は、図１及び図２に示すように、パネルフレームの左右の縦パネルフレーム３，３にビス４などで取り付けられ、外壁面材１はその上下の縁部を面材保持金物２，２に保持されて外壁パネル５を構成している。なお、本実施形態では、外壁面材１は、詳しく図示しないけれども、複数枚の面材を上下方向に隣接状態に配列したものからなっていて、各面材の上下の縁部が面材保持金物２，２で保持された構造となっている。
【００１１】
そして、左右の縦パネルフレーム３，３のそれぞれに、縦パネルフレーム３と面材保持金物２とに挟まれるようにして、横ずれ防止金物６，６が上記のビス４などで取り付けられ、各横ずれ防止金物６，６は、外壁面材１の背面側から側面部に沿うよう屈曲して延び、側面部に沿う部分６ａが外壁面材１の側面部と係合として、外壁面材１の横ずれを規制するように備えられている。更に、図３及び図４に示すように、左右一方の横ずれ防止金物６には、隣り合う外壁パネル５，５の外壁面材１，１間の縦目地７の下地となる部分６ｂが一体的に備えられている。
【００１２】
上記の外壁パネル５を工場などで製作し、これを現場に運搬し、現場で同外壁パネル５の建方を行うことにより、外壁面材１が建物に取り付けられる。
【００１３】
このように、外壁面材１を面材保持金物２，２を用いて取り付けるものでありながら、その取付けを外壁パネル５のなかで行うようにしているので、外壁面材１の取付けの品質や精度を高いものにすることができる。
【００１４】
しかも、左右の縦パネルフレーム３，３に取り付けられた横ずれ防止金物６，６が、外壁面材１の側面部に沿う部分６ａによって外壁面材１の左右いずれの方向への横ずれをも規制するように備えられているので、面材保持金物２，２によって外壁面材１をパネルフレーム３，３に保持させる構造のものでありながら、外壁パネル５の運搬時や建方時等において、外壁面材１がパネルフレーム３，３に対して横方向に位置ずれを起こしてしまうこともなく、そのため、外壁パネル５の建方を行うだけで、外壁面材１を品質良好、精度良好に建物側に取り付けることができる。
【００１５】
こうして外壁パネル５の建方を終えた後、図４に示すように、隣り合う左右の外壁面材１，１間の縦目地７内に、横ずれ防止金物６の縦目地下地となる部分６ｂをバックアップ部とし、一次止水材としての湿式シーリング材８を充填する。このように、横ずれ防止金物６に、左右の外壁面材１，１間の一次止水材８のバックアップ部としての機能を併せもたせることで、一次止水材８を簡素な構造でかつ施工容易に左右の外壁面材１，１間に設けることが可能であると共に、簡素な構造で外壁面材１を品質、精度を保ちながら運搬し、建物側に品質良好、精度良好に取り付けることができる。
【００１６】
図５乃至図８に示す第２実施形態は、一次止水材として乾式のガスケット９を用いて外壁面材１，１間の止水を行うようにしたもので、左右の外壁パネル５，５の横ずれ防止金物６，６の両方いずれもが、隣り合う左右の外壁面材１，１間の縦目地７の下地となる部分６ｂ，６ｂを備え、ガスケット９による止水効果を高いものにするため、横ずれ防止金物６，６の縦目地下地となる部分６ｂ，６ｂが縦目地７のより奥方の深いところに位置するように備えられている。なお、横ずれ防止金物６の側面部に沿う部分６ａは、外壁面材５の側面部に対して止水状態に接着されているとよい。その他は、第１実施形態と略同様である。
【００１７】
以上に、本発明の実施形態を示したが、本発明はこれに限られるものではなく、発明思想を逸脱しない範囲で各種の変更が可能である。例えば、上記の実施形態では、横ずれ防止金物６に縦目地下地となる部分６ｂが一体に備えられているものについて説明したが、横ずれ防止金物６から縦目地下地となる部分を排除し、一次止水材のためのバックアップ部は、横ずれ防止金物６とは別にバックアップ材を縦目地７に設置することによって形成されたものであってもよい。
【００１８】
【発明の効果】
本発明は、以上のとおりのものであるから、外壁面材を面材保持金物を用いて取り付けるものでありながら、外壁面材の取付けの品質や精度を高いものにすることができる。
【図面の簡単な説明】
【図１】第１実施形態の外壁パネルを分解状態にして示す平面断面図である。
【図２】同外壁パネルの平面断面図である。
【図３】外壁パネルの建方を終えたところを示す平面断面図である。
【図４】図（イ）（ロ）はそれぞれ、外壁面材間の縦目地部分を拡大して示す平面断面外壁パネルである。
【図５】第２実施形態の外壁パネルを分解状態にして示す平面断面図である。
【図６】同外壁パネルの平面断面図である。
【図７】外壁パネルの建方を終えたところを示す平面断面図である。
【図８】図（イ）（ロ）はそれぞれ、外壁面材間の縦目地部分を拡大して示す平面断面外壁パネルである。
【符号の説明】
１…外壁面材
２…面材保持金物
３…縦パネルフレーム（パネルフレーム）
５…外壁パネル
６…横ずれ防止金物
６ａ…側面部に沿う部分
６ｂ…目地下地となる部分
７…縦目地
８…湿式シーリング材（一次止水材）
９…ガスケット（一次止水材）
【図１】
2004353341.tif 000003
【図２】
2004353341.tif 000004
【図３】
2004353341.tif 000005
【図４】
2004353341.tif 000006
【図５】
2004353341.tif 000007
【図６】
2004353341.tif 000008
【図７】
2004353341.tif 000009
【図８】
2004353341.tif 000010